(57)【特許請求の範囲】
【請求項１】
所定のサイズを有する画面全体に該所定のサイズと同一の一の画像が表示された状態から、画面の一部分に上記一の画像であって該所定のサイズよりも小さいサイズの縮小画像が表示されると共に画面の他の部分に該所定のサイズと同一の他の文字図形画像が、該一の画像と該文字図形画像のうちの文字図形部分とが重ならずに合成されて表示された状態に遷移させるための画像信号処理装置であって、
上記一の画像に対応した画像信号に基づいて、上記所定のサイズと同一の画面全体から上記所定のサイズよりも小さいサイズの画面の一部分に至る所定数の縮小段階における上記所定のサイズよりも小さいサイズの縮小画像を順次得る第１の画像信号処理手段と、
上記他の文字図形画像に対応した画像信号に基づいて、上記所定のサイズよりも小さいサイズの画面の一部分から上記所定のサイズと同一の画面全体に至る上記所定数の拡大段階において上記所定のサイズよりも小さいサイズの画像を切り取って生成される上記他の文字図形画像を順次得る第２の画像信号処理手段と、
上記第２の画像信号処理手段により順次得られた上記所定数の拡大段階において上記所定のサイズよりも小さいサイズの画像を切り取って生成される上記他の文字図形画像を、上記所定のサイズと同一の画面全体に表示されるように、上記所定のサイズへ拡大する画像拡大処理手段と、
上記第１の画像信号処理手段で順次得られた所定数の縮小段階における上記縮小画像と、上記画像拡大処理手段によって上記所定のサイズへ拡大された他の文字図形画像とを、上記第２の画像信号処理手段で順次得られた拡大段階において上記所定のサイズよりも小さいサイズの画像を切り取って生成される上記他の文字図形画像が上記画面全体に表示されるように、上記各縮小段階毎に上記各拡大段階と順次対応し合成して出力画像信号を得る合成手段とを備えることを特徴とする画像信号処理装置。
【請求項２】
上記一の画像は番組における動画像であり、上記他の画像は静止画像または文字図形であって、
上記合成手段によって合成された出力画像信号を、画面の位置に応じたタイミングで出力する出力手段と
を備えることを特徴とする請求項１に記載の画像信号処理装置。
【請求項３】
所定のサイズを有する画面全体に該所定のサイズと同一の一の画像が表示された状態から、画面の一部分に上記一の画像であって該所定のサイズよりも小さいサイズの縮小画像が表示されると共に画面の他の部分に該所定のサイズと同一の他の文字図形画像が、該一の画像と該文字図形画像のうちの文字図形部分とが重ならずに合成されて表示された状態に遷移させるための画像信号処理方法であって、
上記一の画像に対応した画像信号に基づいて、上記所定のサイズと同一の画面全体から上記所定のサイズよりも小さいサイズの画面の一部分に至る所定数の縮小段階における上記所定のサイズよりも小さいサイズの縮小画像を順次得る第１のステップと、
上記他の文字図形画像に対応した画像信号に基づいて、上記所定のサイズよりも小さいサイズの画面の一部分から上記所定のサイズと同一の画面全体に至る上記所定数の拡大段階において上記所定のサイズよりも小さいサイズの画像を切り取って生成される上記他の文字図形画像を順次得る第２のステップと、
上記第２のステップにより順次得られた上記所定数の拡大段階において上記所定のサイズよりも小さいサイズの画像を切り取って生成される上記他の文字図形画像を、上記所定のサイズと同一の画面全体に表示されるように、上記所定のサイズへ拡大する第３のステップと、
上記第１のステップで順次得られた所定数の縮小段階における上記縮小画像と、上記第３のステップによって上記所定のサイズへ拡大された他の文字図形画像とを、上記第２のステップで順次得られた拡大段階において上記所定のサイズよりも小さいサイズの画像を切り取って生成される上記他の文字図形画像が上記画面全体に表示されるように、上記各縮小段階毎に上記各拡大段階と順次対応し合成して出力画像信号を得る第４のステップとを備えることを特徴とする画像信号処理方法。
【発明の詳細な説明】
【０００１】
【発明の属する技術分野】
この発明は、例えばデータ放送を受信し得るデジタル放送受信機等に適用して好適な画像信号の処理装置および処理方法に関する。詳しくは、この発明は、画面全体に一の画像が表示された状態から画面の一部分に一の画像の縮小画像が表示されると共に画面の他の部分に他の画像が表示された状態に遷移させる際に、一の画像の表示位置および縮小率を段階的に変化させていき、これに伴って他の画像の表示範囲および拡大率を段階的に変化させていくことによって、画面上における画像遷移が違和感なく連続的かつ滑らかに行われるようにした画像信号の処理装置および処理方法に係るものである。
【０００２】
【従来の技術】
衛星等を利用したデジタル放送システムにおいては、画面全体に動画像のみを表示する通常放送と、静止画像および文字図形と動画像を組み合わせて表示するデータ放送とが存在する。現状では、放送業者は、データ放送の多くの番組を、図８Ｂに示すように、静止画像および文字図形に縮小動画像を混在させて表示するように放送している。この場合、縮小動画像は小画面に表示される。
【０００３】
ユーザ操作に応じて通常放送の受信モードからデータ放送の受信モードに変わると、例えば、図８Ａの表示状態から一瞬にして図８Ｂの表示状態に変化する。この場合、動画像がどこへ移動したのか直感的に分かり難く、また動きが単発でつまらなくなっている。
【０００４】
そこで従来、図８Ａの表示状態から図８Ｂの表示状態を得る際に、動画像の表示位置および縮小率を段階的に変化させていくことが考えられている。
【０００５】
【発明が解決しようとする課題】
ところで、一般的なデータ放送の画面は、図９Ａ〜Ｄに示すように、静止画プレーン、動画プレーンおよび文字図形プレーンの重ね合わせで構成されている。動画プレーンは動画像の縮小表示画面である。静止画プレーンは背景の模様を表示する。文字図形プレーンには文字や小さな図形が配置されている。動画プレーンの表示位置および大きさは、データ放送のＢＭＬ(Broadcast Markup Language)文章内に指定されている。動画プレーンは、指定通りの表示位置と大きさで表示される。
【０００６】
ここで、図１０に示すように、静止画プレーンの上に動画プレーンを重ね合わせ、さらに動画プレーンの上に文字図形プレーンを重ね合わせるものである。つまり、動画プレーンは、静止画プレーンおよび文字図形プレーンの間に納まっている。そのため、上述したように、動画像の表示位置および縮小率を段階的に変化させていく場合、文字図形の下を動画像が這うように縮んでいくように見えてしまうという問題点があった。図１１は、途中段階の画面表示例を示している。
【０００７】
そこで、この発明は、画面上における画像遷移が違和感なく連続的かつ滑らかに行われるようにした画像信号の処理装置および処理方法を提供することを目的とする。
【０００８】
【課題を解決するための手段】
この発明に係る画像信号処理装置は、所定のサイズを有する画面全体に該所定のサイズと同一の一の画像が表示された状態から、画面の一部分に一の画像であって該所定のサイズよりも小さいサイズの縮小画像が表示されると共に画面の他の部分に該所定のサイズと同一の他の文字図形画像が、該一の画像と該文字図形画像のうちの文字図形部分とが重ならずに合成されて表示された状態に遷移させるための画像信号処理装置であって、一の画像に対応した画像信号に基づいて、所定のサイズと同一の画面全体から所定のサイズよりも小さいサイズの画面の一部分に至る所定数の縮小段階における所定のサイズよりも小さいサイズの縮小画像を順次得る第１の画像信号処理手段と、他の文字図形画像に対応した画像信号に基づいて、所定のサイズよりも小さいサイズの画面の一部分から所定のサイズと同一の画面全体に至る所定数の拡大段階において所定のサイズよりも小さいサイズの画像を切り取って生成される他の文字図形画像を順次得る第２の画像信号処理手段と、第２の画像信号処理手段により順次得られた所定数の拡大段階において所定のサイズよりも小さいサイズの画像を切り取って生成される他の文字図形画像を、所定のサイズと同一の画面全体に表示されるように、所定のサイズへ拡大する画像拡大処理手段と、第１の画像信号処理手段で順次得られた所定数の縮小段階における縮小画像と、画像拡大処理手段によって所定のサイズへ拡大された他の文字図形画像とを、第２の画像信号処理手段で順次得られた拡大段階において所定のサイズよりも小さいサイズの画像を切り取って生成される他の文字図形画像が画面全体に表示されるように、各縮小段階毎に各拡大段階と順次対応し合成して出力画像信号を得る合成手段とを備えるものである。
【０００９】
また、この発明に係る画像信号処理方法は、所定のサイズを有する画面全体に該所定のサイズと同一の一の画像が表示された状態から、画面の一部分に一の画像であって該所定のサイズよりも小さいサイズの縮小画像が表示されると共に画面の他の部分に該所定のサイズと同一の他の文字図形画像が、該一の画像と該文字図形画像のうちの文字図形部分とが重ならずに合成されて表示された状態に遷移させるための画像信号処理方法であって、一の画像に対応した画像信号に基づいて、所定のサイズと同一の画面全体から所定のサイズよりも小さいサイズの画面の一部分に至る所定数の縮小段階における所定のサイズよりも小さいサイズの縮小画像を順次得る第１のステップと、他の文字図形画像に対応した画像信号に基づいて、所定のサイズよりも小さいサイズの画面の一部分から所定のサイズと同一の画面全体に至る所定数の拡大段階において所定のサイズよりも小さいサイズの画像を切り取って生成される他の文字図形画像を順次得る第２のステップと、第２のステップにより順次得られた所定数の拡大段階において所定のサイズよりも小さいサイズの画像を切り取って生成される他の文字図形画像を、所定のサイズと同一の画面全体に表示されるように、所定のサイズへ拡大する第３のステップと、第１のステップで順次得られた所定数の縮小段階における縮小画像と、第３のステップによって所定のサイズへ拡大された他の文字図形画像とを、第２のステップで順次得られた拡大段階において所定のサイズよりも小さいサイズの画像を切り取って生成される他の文字図形画像が画面全体に表示されるように、各縮小段階毎に各拡大段階と順次対応し合成して出力画像信号を得る第４のステップとを備えるものである。
【００１０】
この発明は、画面全体に一の画像が表示された状態から画面の一部分に一の画像の縮小画像が表示されると共に画面の他の部分に他の画像が表示された状態に遷移させるためのものである。例えば、一の画像は動画像であり、他の画像は静止画像および文字図形である。
【００１１】
一の画像の表示位置および縮小率が段階的に変化するように、各段階の第１の画像信号を得るようにする。つまり、一の画像に対応した画像信号に基づいて、画面全体から画面の一部分に至る所定数の段階の画面部分に一の画像を表示するための第１の画像信号を順次得るようにする。
【００１２】
これに伴って、他の画像の表示範囲および拡大率が段階的に変化するように、各段階の第２の画像信号を得るようにする。つまり、他の画像に対応した画像信号に基づいて、画面の一部分から画面全体に至る所定数の段階の画面部分の画像信号を切り出し、この切り出された画像信号による他の画像を画面全体に表示するための第２の画像信号を順次得るようにする。
【００１３】
そして、所定数の段階の第１の画像信号と所定数の段階の第２の画像信号とを各段階毎に合成することで出力画像信号を得るようにする。
【００１４】
この出力画像信号によれば、以下のような効果が得られる。すなわち、一の画像の表示位置および縮小率が段階的に変化するため、一の画像がどこへ移動したのか直感的に分かるようになる。また、一の画像の縮小率が段階的に大きくなっていくので、見た目にも面白いものとなる。また、一の画像の表示位置および縮小率が段階的に変化するのに伴って、他の画像の表示範囲および拡大率も段階的に変化する。そのため、画面上において一の画像のみが変化するものではなく、他の画像を含む全画像が一体となって変化することから、画面上における画像遷移が違和感なく連続的かつ滑らかに行われるようになる。
【００１５】
【発明の実施の形態】
以下、図面を参照しながら、この発明の実施の形態について説明する。図１は実施の形態としての、デジタル放送信号を受信するためのセットトップボックス（ＳＴＢ：Set Top Box)１００の構成を示している。
【００１６】
このセットトップボックス１００は、ＣＰＵ(Central Processing Unit)を備えてなり、全体の動作を制御するための内部制御部１０１と、ＣＰＵの動作を制御するための制御プログラムを格納する制御プログラム領域、ＣＰＵのワーク領域等を持つメモリ１０２と、ユーザのリモコン送信機やキー入力部（図示せず）の操作に応じた制御コマンドを出力する操作制御部１０３とを有している。
【００１７】
メモリ１０２および操作制御部１０３は、内部制御部１０１に接続されている。メモリ１０２の制御プログラム領域には、操作制御部１０３から内部制御部１０１に送られてくる制御コマンドに対応した制御を行うためのプログラム、後述するチューナにおける受信制御を行うためのプログラム、後述する通常放送からデータ放送への受信モードの変更時における画像遷移の制御を行うためのプログラム等が格納される。
【００１８】
また、セットトップボックス１００は、受信アンテナ（図示せず）で受信される複数のチャネルのデジタル放送信号から所定チャネルのデジタル放送信号を取り出し、そのデジタル放送信号に対して復調処理や誤り訂正処理を施して放送データＤＢを得るチューナ１０４を有している。この放送データＤＢは、例えばＭＰＥＧ２(Moving Picture Experts Group 2)トランスポートストリームである。
【００１９】
また、セットトップボックス１００は、チューナ１０４で得られた放送データＤＢから、ビデオデータＶＤ、オーディオデータＡＤ、データ放送における静止画および文字図形等のデータＤＤおよび各データに関する情報信号を分離するデマルチプレクサ１０５を有している。このデマルチプレクサ１０５で分離される情報信号は内部制御部１０１に供給される。
【００２０】
また、セットトップボックス１００は、デマルチプレクサ１０５で分離されたビデオデータＶＤに対してデータ伸長復号化の処理を行って、画像信号としてのビデオ信号ＳＶを出力するビデオ処理部１０７と、このデマルチプレクサ１０５で分離されたオーディオデータＡＤに対してデータ伸長復号化の処理を行って、オーディオ信号ＳＡを得るオーディオ処理部１０６とを有している。
【００２１】
また、セットトップボックス１００は、内部制御部１０１による制御により、データ放送の受信時に、ビデオ処理部１０７で得られたビデオ信号ＳＶに対して、画像縮小処理を施す変換部１０８を有している。
【００２２】
この場合、変換部１０８は、通常放送からデータ放送に受信モードが変わる際には、画面全体から最終的な小画面に至る所定数の段階の画面部分にビデオ信号ＳＶによる画像を表示するための画像信号Ｖ1を順次出力していく。その後、変換部１０８は、最後の段階の画像信号Ｖ1を継続して出力する。なお、変換部１０８は、通常放送の受信時には、ビデオ信号ＳＶに対して縮小処理を施すことなくビデオ信号ＳＶをそのまま出力する。
【００２３】
例えば、図２に示すように、５段階の画面部分Ｑ0〜Ｑ4が設定される場合を例に取ってさらに説明する。ここで、Ｑ0は画面全体であり、Ｑ4は最終的な小画面である。各画面部分は、それぞれ位置ｐ0〜ｐ4の情報とその水平方向および垂直方向のサイズの情報により特定される。ここで、各画面部分を特定する位置情報とサイズ情報とを合わせて、「画面情報」という。
【００２４】
最終的な小画面Ｑ4の画面情報は、データ放送のＢＭＬ文章内に指定されている。内部制御部１０１は、この小画面Ｑ4の画面情報と予め分かっている画面全体Ｑ0の画面情報とに基づいて、残りの画面部分Ｑ1〜Ｑ3の画面情報を求める。
【００２５】
変換部１０８は、各段階で以下のような処理をする。最初の段階では、画面全体Ｑ0にビデオ信号ＳＶによる画像を表示する画像信号Ｖ1を出力する。この場合、変換部１０８は、ビデオ信号ＳＶそのものを画像信号Ｖ1として出力する。
【００２６】
次の段階では、画面部分Ｑ1にビデオ信号ＳＶによる画像を表示する画像信号Ｖ1を出力する。この場合、変換部１０８は、ビデオ信号ＳＶに画面部分Ｑ1の大きさに合わせた画像縮小処理を施し、縮小処理後のビデオ信号を当該画面部分Ｑ1の位置に応じたタイミングで画像信号Ｖ1として出力する。
【００２７】
次の段階では、画面部分Ｑ2にビデオ信号ＳＶによる画像を表示する画像信号Ｖ1を出力する。この場合、変換部１０８は、ビデオ信号ＳＶに画面部分Ｑ2の大きさに合わせた画像縮小処理を施し、縮小処理後のビデオ信号を当該画面部分Ｑ2の位置に応じたタイミングで画像信号Ｖ1として出力する。
【００２８】
次の段階では、画面部分Ｑ3にビデオ信号ＳＶによる画像を表示する画像信号Ｖ1を出力する。この場合、変換部１０８は、ビデオ信号ＳＶに画面部分Ｑ3の大きさに合わせた画像縮小処理を施し、縮小処理後のビデオ信号を当該画面部分Ｑ3の位置に応じたタイミングで画像信号Ｖ1として出力する。
【００２９】
最後の段階では、最終的な小画面Ｑ4にビデオ信号ＳＶによる画像を表示する画像信号Ｖ1を出力する。この場合、変換部１０８は、ビデオ信号ＳＶに小画面Ｑ4の大きさに合わせた画像縮小処理を施し、縮小処理後のビデオ信号を当該小画面Ｑ4の位置に応じたタイミングで画像信号Ｖ1として出力する。
【００３０】
その後、変換部１０８は、最終的な小画面Ｑ4にビデオ信号ＳＶによる画像を表示する画像信号Ｖ1を継続して出力する。つまり、変換部１０８は、ビデオ信号ＳＶに小画面Ｑ4の大きさに合わせた画像縮小処理を施し、縮小処理後のビデオ信号を当該小画面Ｑ4の位置に応じたタイミングで画像信号Ｖ1として出力することを、繰り返し行う。
【００３１】
また、セットトップボックス１００は、内部制御部１０１による制御により、デマルチプレクサ１０５で分離されたデータＤＤに基づいて、データ放送の受信時に、静止画表示用の画像信号Ｖ2および文字図形表示用の画像信号Ｖ3を生成するデータ処理部１０９を有している。
【００３２】
この場合、データ処理部１０９は、通常放送からデータ放送に受信モードが変わる際には、データＤＤから得られる静止画表示用の画像信号Ｖ2Pおよび文字図形表示用の画像信号Ｖ3Pより、最終的な小画面から画面全体に至る所定数の段階の画面部分の画像信号を順次それぞれ切り出し、この切り出されたそれぞれの画像信号による画像が画面全体に表示されるように画像拡大処理を行って各段階の画像信号Ｖ2，Ｖ3を順次出力していく。その後、データ処理部１０９は、最後の段階の画像信号Ｖ2，Ｖ3を継続して出力する。
【００３３】
例えば、図３に示すように、５段階の画面部分Ｑ0〜Ｑ4が設定される場合を例に取ってさらに説明する。この５段階の画面部分Ｑ0〜Ｑ4は図２で説明したものと同様のものであり、Ｑ0は画面全体であり、Ｑ4は動画像が表示される最終的な小画面である。
【００３４】
データ処理部１０９は、各段階で以下のような処理をする。最初の段階では、画像信号Ｖ2P，Ｖ3Pより最終的な小画面Ｑ4に対応した画像信号をそれぞれ切り出し、この切り出されたそれぞれの画像信号による画像が画面全体Ｑ0に表示されるように画像拡大処理を行って画像信号Ｖ2，Ｖ3を得、この画像信号Ｖ2，Ｖ3を画面全体Ｑ0の位置に応じたタイミングで出力する。
【００３５】
次の段階では、画像信号Ｖ2P，Ｖ3Pより画面部分Ｑ3に対応した画像信号をそれぞれ切り出し、この切り出されたそれぞれの画像信号による画像が画面全体Ｑ0に表示されるように画像拡大処理を行って画像信号Ｖ2，Ｖ3を得、この画像信号Ｖ2，Ｖ3を画面全体Ｑ0の位置に応じたタイミングで出力する。
【００３６】
次の段階では、画像信号Ｖ2P，Ｖ3Pより画面部分Ｑ2に対応した画像信号をそれぞれ切り出し、この切り出されたそれぞれの画像信号による画像が画面全体Ｑ0に表示されるように画像拡大処理を行って画像信号Ｖ2，Ｖ3を得、この画像信号Ｖ2，Ｖ3を画面全体Ｑ0の位置に応じたタイミングで出力する。
【００３７】
次の段階では、画像信号Ｖ2P，Ｖ3Pより画面部分Ｑ1に対応した画像信号を切り出し、この切り出されたそれぞれの画像信号による画像が画面全体Ｑ0に表示されるように画像拡大処理を行って画像信号Ｖ2，Ｖ3を得、この画像信号Ｖ2，Ｖ3を画面全体Ｑ0の位置に応じたタイミングで出力する。
【００３８】
最後の段階では、画像信号Ｖ2P，Ｖ3Pより画面全体Ｑ0に対応した画像信号をそれぞれ切り出し、この切り出されたそれぞれの画像信号による画像が画面全体Ｑ0に表示されるように画像処理を行って画像信号Ｖ2，Ｖ3を得、この画像信号Ｖ2，Ｖ3を画面全体Ｑ0の位置に応じたタイミングで出力する。
【００３９】
その後、データ処理部１０９は、画像信号Ｖ2P，Ｖ3Pより画面全体Ｑ0に対応した画像信号をそれぞれ切り出し、この切り出されたそれぞれの画像信号による画像が画面全体Ｑ0に表示されるように画像処理を行って画像信号Ｖ2，Ｖ3を得、この画像信号Ｖ2，Ｖ3を画面全体Ｑ0の位置に応じたタイミングで出力することを、繰り返し行う。
【００４０】
ここで、静止画プレーン（画像信号Ｖ2P）および文字図形プレーン（Ｖ3P）の切り出し部分について、さらに詳細に説明する。
例えば、図４に示すように、動画像を表示する画面部分の水平方向のサイズがＷ0からＷN-1までのＮステップで連続的に変化するとする。このとき、静止画プレーンおよび文字図形プレーンにおける切り出し部分の水平方向のサイズを、図５に示すように、ｗ0からｗN-1までＮステップで連続的に変化させることになる。動画像を表示する画面部分の水平方向のサイズがＷnになったときの、静止画プレーンおよび文字図形プレーンにおける切り出し部分の水平方向のサイズをｗnとする。
【００４１】
また、図４に示すように、動画像を表示する画面部分のｘ座標（水平方向の位置）は０からＸN-1までＮステップで連続的に変換し、このとき静止画プレーンおよび文字図形プレーンにおける切り出し部分のｘ座標はｘ0から０までＮステップで変化させることになる。動画像を表示する画面部分のｘ座標がＸnになったときの、静止画プレーンおよび文字図形プレーンにおける切り出し部分のｘ座標をｘnとする。
【００４２】
まず、簡単のために、動画プレーンのサイズと、静止画プレーンおよび文字図形プレーンのサイズとが同じ場合を考える。このとき、水平方向のサイズに関しては、
Ｗn：Ｗ0＝ｗ0：ｗn
ｗn＝ｗ0×Ｗ0／Ｗn
なので、
ｗn＝ＷN-1×Ｗ0／Ｗn              ・・・（１）
となる。
【００４３】
また、ｘ座標（水平方向の位置）に関しては、
Ｘn：Ｗn＝（ｘ0−ｘn）：ｗ0
ｘn＝ｘ0−ｗ0×Ｘn／Ｗn
なので、
ｘn＝ＸN-1−ＷN-1×Ｘn／Ｗn       ・・・（２）
となる。
【００４４】
さらに、動画プレーンのサイズと、静止画プレーンおよび文字図形プレーンのサイズとが異なる場合も考慮すると、（１）式、（２）式は、それぞれ以下の（３）式、（４）式のようになる。
実際、動画プレーンのデータは例えば１９２０×１０８０ドットのデータとして送られてくるが、静止画プレーンおよび文字図形プレーンのデータは９６０×５４０ドットのデータとして送られてくる。
ｗn＝（ＷN-1×Ｗ0／Ｗn）×ｗN-1／Ｗ0              ・・・（３）
ｘn＝（ＸN-1−ＷN-1×Ｘn／Ｗn）×ｗN-1／Ｗ0       ・・・（４）
【００４５】
このように、動画像を表示する画面部分の水平方向のサイズがＷn、そのｘ座標がＸnである場合、静止画プレーンおよび文字図形プレーンの切り出し部分の水平方向のサイズｗn、そのｘ座標ｘnは、それぞれ（３）式、（４）式で決定される。
【００４６】
なお、詳細説明は省略するが、静止画プレーンおよび文字図形プレーンの切り出し部分の垂直方向のサイズ、そのｙ座標（垂直方向の位置）に関しても、同様の算出式により決定される。
【００４７】
また、図１に戻って、セットトップボックス１００は、変換部１０８より出力される動画像を表示するための画像信号Ｖ1と、データ処理部１０９より出力される静止画像を表示するための画像信号Ｖ2および文字図形を表示するための画像信号Ｖ3とを合成する合成部１１０を有している。
【００４８】
データ放送の受信時には、データ処理部１０９から画像信号Ｖ2，Ｖ3が出力されるので、合成部１１０は、静止画プレーン（画像信号Ｖ2）、動画プレーン（画像信号Ｖ1）、文字図形プレーン（画像信号Ｖ3）の順に重ね合わせを行って（図１０参照）、合成された画像信号を出力する。通常放送の受信時には、データ処理部１０９から画像信号Ｖ2，Ｖ3が出力されないので、合成部１１０は変換部１０８より出力される画像信号Ｖ1（ビデオ信号ＳＶ）をそのまま出力する。
【００４９】
この合成部１１０より出力される画像信号は、画像表示器としてのモニタ装置１２０に供給される。なお、上述したオーディオ処理部１０８から出力されるオーディオ信号ＳＡはスピーカ１３０に供給される。
【００５０】
次に、図１に示すセットトップボックス１００の動作を説明する。チューナ１０４では、受信アンテナで受信される複数のチャネルのデジタル放送信号から所定チャネルのデジタル放送信号が取り出され、さらにそのデジタル放送信号に対して復調処理や誤り訂正処理が行われて放送データＤＢが得られる。
【００５１】
チューナ１０４より出力される放送データＤＢはデマルチプレクサ１０５に供給される。このデマルチプレクサ１０５では、放送データＤＢから、ビデオデータＶＤ、オーディオデータＡＤ、データ放送における静止画および文字図形等のデータＤＤおよび各データに関する情報信号が分離される。このデマルチプレクサ１０５で分離される情報信号は内部制御部１０１に供給される。
【００５２】
デマルチプレクサ１０５で分離されたオーディオデータＡＤ、ビデオデータＶＤおよびデータＤＤは、それぞれオーディオ処理部１０６、ビデオ処理部１０７およびデータ処理部１０９に供給される。
【００５３】
オーディオ処理部１０６では、オーディオデータＡＤに対して伸長復号化の処理が施されてオーディオ信号ＳＡが生成される。ビデオ処理部１０７では、ビデオデータＶＤに対して伸長復号化の処理が施されてビデオ信号ＳＶが生成される。
【００５４】
通常放送の受信時には、ビデオ処理部１０７より出力されるビデオ信号ＳＶは、変換部１０８を介して合成部１１０よりそのまま出力される。そして、このビデオ信号ＳＶは外部のモニタ装置１２０に供給される。
【００５５】
これにより、モニタ装置１２０の画面全体にはチューナ１０４より出力される放送データＤＢに係る動画像が表示される。また、オーディオ処理部１０８で生成されるオーディオ信号ＳＡはスピーカ１３０に供給される。スピーカ１３０からはチューナ１０４より出力される放送データＤＢに係る音声が出力される。
【００５６】
次に、ユーザのリモコン送信機やキー入力部（図示せず）による入力操作により、通常放送からデータ放送への受信モード変更の指示があった場合の動作を説明する。
【００５７】
通常放送からデータ放送に受信モードが変わる際、変換部１０８は、画面全体から最終的な小画面に至る所定数の段階の画面部分にビデオ信号ＳＶによる画像を表示するための画像信号Ｖ1を順次出力していく。その後、変換部１０８は、最後の段階の画像信号Ｖ1を継続して出力する。
【００５８】
また、データ処理部１０９は、データ放送の受信時に、データＤＤに基づいて、静止画表示用の画像信号Ｖ2および文字図形表示用の画像信号Ｖ3を生成して出力する。通常放送からデータ放送に受信モードが変わる際、データ処理部１０９は、データＤＤから得られる静止画表示用の画像信号Ｖ2Pおよび文字図形表示用の画像信号Ｖ3Pより、最終的な小画面から画面全体に至る所定数の段階の画面部分の画像信号を順次切り出し、この切り出された画像信号による画像が画面全体に表示されるように画像拡大処理を行って各段階の画像信号Ｖ2，Ｖ3を順次出力していく。その後、データ処理部１０９は、最後の段階の画像信号Ｖ2，Ｖ3を継続して出力する。
【００５９】
変換部１０８より出力される動画像を表示するための画像信号Ｖ1は合成部１１０に供給される。この合成部１１０には、さらにデータ処理部１０９より出力される静止画像を表示するための画像信号Ｖ2および文字図形を表示するための画像信号Ｖ3が供給される。合成部１１０では、静止画プレーン（画像信号Ｖ2）、動画プレーン（画像信号Ｖ1）、文字図形プレーン（画像信号Ｖ3）の順に重ね合わせが行われて、合成された画像信号が生成される。そして、この合成部１１０より出力される画像信号は外部のモニタ装置１２０に供給される。
【００６０】
これにより、モニタ装置１２０の画面上には、静止画像および文字図形と動画像が組み合わせられたデータ放送の画像が表示されるようになる。この場合、通常放送からデータ放送に受信モードが変わる際、動画像が表示される画面部分が画面全体から順次縮小していって最終的な小画面となり、またこれに伴って静止画像および文字図形の切り出し位置および拡大率も変化していく。そして、その後は動画像が最終的な小画面に表示された状態が続く。
【００６１】
図６Ａ〜Ｄは、通常放送からデータ放送に受信モードが変わる際の画像の遷移例を示している。この例は５段階で遷移する例である。最初の段階では、図６Ａに示すように、画面全体に動画像が表示されている。その後、第２、第３、第４の段階では、それぞれ図６Ｂ，Ｃ，Ｄに示すように、動画像が表示される画面部分が順次縮小されていく。また、それに伴って、静止画像、文字図形の拡大率が小さくなってその表示範囲が広くなっていく。そして、最後の段階では、図６Ｅに示すように、動画像が最終的な小画面に表示され、静止画像、文字図形も全範囲が表示された状態となる。
【００６２】
図７のフローチャートは、通常放送からデータ放送に受信モードが変わる際における、内部制御部１０１による画像信号処理に係る制御動作例を示している。この例は、５段階の画面部分Ｑ0〜Ｑ4が設定される場合を想定したものである（図２，図３参照）。
【００６３】
通常放送からデータ放送に受信モードの変更操作があった場合、ステップＳＴ１で、小画面Ｑ4の画面情報（サイズ情報および位置情報）と予め分かっている画面全体Ｑ0の画面情報とに基づいて、残りの画面部分Ｑ1〜Ｑ3の画面情報を求める。そして、各画面部分Ｑ0〜Ｑ4の画面情報をＡ(0)〜Ａ(4)としてメモリ１０２に格納する。なお、このステップＳＴ１の動作は、通常放送の受信時に予め行っておいてもよい。
【００６４】
次に、ステップＳＴ２で、カウンタのカウント値Ｎを０にリセットする。そして、ステップＳＴ３で、Ａ(N)に基づいて、変換部１０８に画像縮小処理を行わせて画像信号Ｖ1を出力させる。同時に、Ａ(N)に基づいて静止画および文字図形のプレーンの切り出し部分を求め、データ処理部１０９に、切り出し処理、画像拡大処理を行わせて、画像信号Ｖ2，Ｖ3を出力させる。そして、合成部１１０に、各画像信号Ｖ1〜Ｖ3を重ね合わせて出力させる。
【００６５】
次に、ステップＳＴ４で、カウント値Ｎをインクリメントする。そして、ステップＳＴ５で、Ｎ≧５であるか否かを判定する。Ｎ≧５であるときは、既に最終段階までの処理が終わっているので、処理を終了する。一方、Ｎ≧５でないときは、ステップＳＴ３に戻り、次のＡ(N)に基づく処理が行われるようにする。
なお、図７のフローチャートは、５段階の画面部分Ｑ0〜Ｑ4が設定される場合を想定したものである、段階数がその他の場合にも同様の制御動作となる。
【００６６】
以上説明したように本実施の形態によれば、通常放送からデータ放送に受信モードの変更操作があった場合に、動画像の表示位置および縮小率が段階的に変化し、画面全体に動画像が表示された状態から最終的な小画面に動画像が表示される状態に移っていく。そのため、動画像がどこへ移動したのか直感的に分かるようになる。また、画像の縮小率が段階的に大きくなっていくことから、見た目にも面白いものとなる。
【００６７】
また、本実施の形態によれば、通常放送からデータ放送に受信モードの変更操作があった場合に、動画像の表示位置および縮小率が段階的に変化するのに伴って、静止画像、文字図形の拡大率が小さくなってその表示範囲が広くなっていく。そのため、動画像だけでなく、静止画像、文字図形をも含めた全画像が一体となって変化することから、画面上における画像遷移が違和感なく連続的かつ滑らかに行われる。
【００６８】
なお、上述実施の形態においては、通常放送からデータ放送に受信モードの変更操作があった場合に、静止画像および文字図形を表示するため、動画像を小画面に表示するように表示状態を変化させるものにこの発明を適用したものであるが、この発明は、動画像と共に何等かの画像を表示するために、同様に動画像を小画面に表示するように表示状態を変化させる際に適用して好適なものである。また、画面全体表示から小画面表示に移動する画像は動画像に限られるものでなく、静止画像あるいは文字図形であってもよい。
【００６９】
また、上述実施の形態においては、通常放送からデータ放送に受信モードの変更操作があった場合に、動画像の各表示部分の位置が直線的に移動するものであった。例えば、図２のＰ0〜Ｐ4は同一の直線上に存在する。動画像の各表示部分の位置が所定の曲線上を移動するように構成することもできる。それにより、視覚的効果をさらに高めることができる。
【００７０】
また、上述実施の形態においては、動画像に対する画像縮小処理、静止画像および文字図形に対する切り出し処理、画像拡大処理、動画プレーンと静止画プレーンおよび文字図形プレーンの重ね合わせの処理をハードウェアで行うように説明したが、これらの処理をソフトウェアで行うことは当然に可能である。
【００７１】
【発明の効果】
この発明によれば、画面全体に一の画像が表示された状態から画面の一部分に一の画像の縮小画像が表示されると共に画面の他の部分に他の画像が表示された状態に遷移させる際に、一の画像の表示位置および縮小率を段階的に変化させていき、これに伴って他の画像の表示範囲および拡大率を段階的に変化させていくものであり、画面上における画像遷移が違和感なく連続的かつ滑らかに行われる。
【図面の簡単な説明】
【図１】実施の形態としてのセットトップボックスの構成を示すブロック図である。
【図２】動画像に対する画像縮小処理を説明するための図である。
【図３】静止画像および文字図形に対する画像切り出し処理、画像拡大処理を説明するための図である。
【図４】動画像を表示する画面部分の変化を示す図である。
【図５】静止画＆文字図形プレーンの切り出し部分の変化を示す図である。
【図６】通常放送からデータ放送に受信モードが変わる際の画像の遷移例を示す図である。
【図７】データ放送の受信モードに変更した際の画像信号処理に係る制御動作例を示すフローチャートである。
【図８】通常放送からデータ放送に受信モードが変わったときの画面変化例を示す図である。
【図９】一般的なデータ放送の画面を説明するための図である。
【図１０】静止画プレーン、動画プレーン、文字図形プレーンの各プレーンの重ね合わせを説明するための図である。
【図１１】データ放送に受信モードを変更した際の従来における途中段階の画面表示例を示す図である。
【符号の説明】
１００・・・セットトップボックス、１０１・・・内部制御部、１０２・・・メモリ、１０３・・・操作制御部、１０４・・・チューナ、１０５・・・デマルチプレクサ、１０６・・・オーディオ処理部、１０７・・・ビデオ処理部、１０８・・・変換部、１０９・・・データ処理部、１１０・・・合成部、１２０・・・モニタ装置、１３０・・・スピーカ
【図１】
0004066714.tif 000002
【図２】
0004066714.tif 000003
【図３】
0004066714.tif 000004
【図４】
0004066714.tif 000005
【図５】
0004066714.tif 000006
【図６】
0004066714.tif 000007
【図７】
0004066714.tif 000008
【図８】
0004066714.tif 000009
【図９】
0004066714.tif 000010
【図１０】
0004066714.tif 000011
【図１１】
0004066714.tif 000012